(57)【要約】【課題】  デジタル放送の受信モードとアナログ放送の受信モードとの切り換えを行なうことなく選局が可能な放送受信装置を提供する。【解決手段】  テレビ１００は、チューナ１０４と、アナログ放送受信ブロック１１０と、デジタル放送受信ブロック１２０とを含む。アナログ放送受信ブロック１１０は、選局指示の入力に基づいて選局されるチャンネルがデジタル放送およびアナログ放送のいずれのチャンネルであるかを判断するＣＰＵ３００とを含む。デジタル放送受信ブロック１２０は、ＣＰＵ３００による指示に基づいてデジタル放送を受信するチャンネルをチューナ１０４に選局させるＣＰＵ６００とを含む。【選択図】        図１
2006270827.tif 000002
【特許請求の範囲】
【請求項１】
アナログ放送信号とデジタル放送信号とを受信する受信手段と、
前記アナログ放送信号と前記デジタル放送信号とのいずれかを受信するチャンネルを選局する選局手段と、
昇順および降順のいずれかによりチャンネルを選局するための選局指示の入力を受ける入力手段と、
前記受信手段により受信された前記デジタル放送信号に基づいて、映像音声信号を出力するデジタル放送受信ユニットと、
前記受信手段により受信された前記アナログ放送信号に基づいて、映像音声信号を出力するアナログ放送受信ユニットとを備え、
前記アナログ放送受信ユニットは、
前記アナログ放送信号を受信可能なアナログチャンネルに対応する第１のデータと、前記デジタル放送信号を受信可能なデジタルチャンネルの物理チャンネルに対応する第２のデータと、信号を受信中のチャンネルに対応する第３のデータとを格納する記憶手段と、
前記第３のデータを前記第１のデータおよび前記第２のデータと比較することにより、前記選局指示に基づいて選局されるチャンネルの種類を判断する判断手段と、
前記判断手段が、前記選局指示に基づいて選局されるチャンネルは前記アナログチャンネルであると判断した場合に、前記第１のデータと前記第３のデータとに基づいて、前記選局指示に応じて選局されるアナログチャンネルを決定する第１の決定手段と、
前記第１の決定手段により決定されたアナログチャンネルに基づいて、前記選局手段に前記アナログ放送信号を受信させるアナログ選局制御手段と、
前記判断手段が、前記選局指示に基づいて選局されるチャンネルは前記デジタルチャンネルであると判断した場合に、前記デジタル放送受信ユニットに対して、前記選局指示に基づいて前記選局されるチャンネルを決定するための指令を送出する送出手段とを含み、
前記デジタル放送受信ユニットは、
前記デジタル放送信号を受信可能なデジタルチャンネルに対応するチャンネルデータを格納するデジタルチャンネル記憶手段と、
前記指令と前記チャンネルデータとに基づいて、前記選局指示に応じて選局されるデジタルチャンネルを決定する第２の決定手段と、
前記第２の決定手段により決定されたデジタルチャンネルに基づいて、前記選局手段に前記デジタル放送信号を受信させるデジタル選局制御手段と、
前記デジタル放送信号に基づいてデジタルチャンネルの変更を検知する検知手段と、
前記変更の検知に基づいて、デジタルチャンネルに含まれる物理チャンネルの更新情報を生成する更新情報生成手段と、
前記更新情報を前記デジタルチャンネル記憶手段に格納する更新手段と、
前記アナログ放送受信ユニットに、前記更新情報を送出する送出手段とを含み、
前記アナログ放送受信ユニットはさらに、前記更新情報に基づいて前記第２のデータを前記アナログチャンネル記憶手段に格納する更新手段を含む、放送受信装置。
【請求項２】
アナログ放送信号とデジタル放送信号とを受信する受信手段と、
前記アナログ放送信号と前記デジタル放送信号とのいずれかを受信するチャンネルを選局する選局手段と、
昇順および降順のいずれかによりチャンネルを選局するための選局指示の入力を受ける入力手段と、
前記受信手段により受信されたデジタル放送信号に基づく信号を出力するデジタル放送信号処理手段と、
前記受信手段により受信されたアナログ放送信号に基づく信号を出力するアナログ放送信号処理手段とを備え、
前記アナログ放送信号処理手段は、
前記アナログ放送信号を受信可能なアナログチャンネルと、前記デジタル放送信号を受信可能なデジタルチャンネルと、信号を受信中のチャンネルとに基づいて、前記選局指示に応じて選局されるアナログチャンネルを決定する第１の決定手段と、
前記第１の決定手段により決定されたアナログチャンネルに基づいて、前記選局手段に前記アナログ放送信号を受信させるアナログ選局制御手段と、
前記判断手段が、前記選局指示に基づいて選局されるチャンネルは前記デジタルチャンネルであると判断した場合に、前記デジタル放送信号処理手段に対して、前記選局指示に基づいて前記選局されるチャンネルを決定するための指令を送出する送出手段とを含み、
前記デジタル放送信号処理手段は、
前記指令と、前記デジタル放送信号を受信可能なデジタルチャンネルとに基づいて、前記選局指示に応じて選局されるデジタルチャンネルを決定する第２の決定手段と、
前記第２の決定手段により決定されたデジタルチャンネルに基づいて、前記選局手段に前記デジタル放送信号を受信させるデジタル選局制御手段とを含む、放送受信装置。
【請求項３】
前記デジタル放送信号処理手段は、前記デジタル放送信号に基づいて、映像音声信号を出力するデジタル放送受信ユニットを含む、請求項２に記載の放送受信装置。
【請求項４】
前記アナログ放送信号処理手段は、前記アナログ放送信号に基づいて、映像音声信号を出力するアナログ放送受信ユニットを含む、請求項２に記載の放送受信装置。
【請求項５】
前記第１の決定手段は、
前記アナログチャンネルに対応する第１のデータと、前記デジタルチャンネルの物理チャンネルに対応する第２のデータと、前記信号を受信中のチャンネルに対応する第３のデータとを格納する記憶手段と、
前記第１のデータと前記第２のデータと前記第３のデータとに基づいて、前記選局指示に応じて選局されるチャンネルの種類を判断する判断手段と、
前記判断手段が、前記選局指示に基づいて選局されるチャンネルは前記アナログチャンネルであると判断した場合に、前記第１のデータと前記第３のデータとに基づいて、前記選局指示に応じて選局されるアナログチャンネルを決定するアナログチャンネル決定手段とを含む、請求項２に記載の放送受信装置。
【請求項６】
前記判断手段は、前記第３のデータを前記第１のデータおよび前記第２のデータと比較することにより、前記選局指示に基づいて選局されるチャンネルの種類を判断する、請求項５に記載の放送受信装置。
【請求項７】
前記第２の決定手段は、
前記デジタル放送信号を受信可能なデジタルチャンネルに対応するチャンネルデータを格納するデジタルチャンネル記憶手段と、
前記指令と前記チャンネルデータとに基づいて、前記選局指示に応じて選局されるデジタルチャンネルを決定するデジタルチャンネル決定手段とを含む、請求項２に記載の放送受信装置。
【請求項８】
前記デジタル放送信号処理手段は、
前記デジタル放送信号に基づいてデジタルチャンネルの変更を検知する検知手段と、
前記変更の検知に基づいて、デジタルチャンネルの更新情報を生成する生成手段と、
前記更新情報を前記デジタルチャンネル記憶手段に格納するデジタル更新手段と、
前記アナログ放送信号処理手段に、前記更新情報を送出する送出手段とをさらに含み、
前記アナログ放送信号処理手段は、前記更新情報に基づいて前記アナログチャンネル記憶手段に格納されている情報を更新するアナログ更新手段をさらに含む、請求項７に記載の放送受信装置。
【請求項９】
前記デジタルチャンネルは物理チャンネルを含み、
前記生成手段は、前記物理チャンネルの更新情報を生成し、
前記アナログ更新手段は、前記物理チャンネルの更新情報に基づいて、前記第２のデータを更新する、請求項８に記載の放送受信装置。
【発明の詳細な説明】
【技術分野】
【０００１】
本発明は放送受信装置に関し、より特定的には、アナログ放送とデジタル放送とを受信可能な放送受信装置に関する。
【背景技術】
【０００２】
テレビジョン受信装置において、チャンネルの切り替えは、その装置のリモコン端末、あるいは装置の操作パネルに設けられているボタンの操作を通じて実現される。チャンネルを切り替えるためのボタンには、リモコン端末における数字ボタンに加えて、設定された複数の受信チャンネルについて、昇順にあるいは降順に切り替えるためのボタン（以下、アップ選局ボタン、ダウン選局ボタンと称す。）が含まれる。たとえば、ユーザがアップ選局ボタンを押下すると、受信チャンネルは、昇順に切り替わる。一方、ユーザがダウン選局ボタンを押下すると、受信チャンネルは、降順に切り替わる。
【０００３】
ところで、近年、テレビ放送において、アナログ放送に加えて、デジタル放送が行なわれている。そこで、アナログ放送とデジタル放送とを受信可能な放送受信装置が提案されている（たとえば、特許文献１〜４参照）。
【０００４】
デジタル放送では、物理チャンネルと称される周波数帯域において時分割多重化して放送されるサブチャンネルごとの放送が実現される。特定のサブチャンネルは、放送事業者によって使用される場合もあれば使用されなくなる場合もある。そのため、放送受信装置の受信可能なチャンネルの情報を更新する必要がある。
【０００５】
このような情報の変更に対応するために、全ての受信チャンネルを検索する機能として、いわゆるオートスキャン機能が知られている。この機能が実行されると、受信可能なチャンネルが順次検索されて放送受信装置の記憶装置に格納される。この機能が実行された後は、ユーザは、更新された情報に基づいてデジタル放送を受信することができる。
【特許文献１】特開２００４−３６４２１６号公報
【特許文献２】特開２００２−３４４８３２号公報
【特許文献３】特開２００２−３４４８３１号公報
【特許文献４】特開２００２−１６８５４号公報
【発明の開示】
【発明が解決しようとする課題】
【０００６】
上記のような放送受信装置においては、チャンネルの切り替えに関し、アナログ放送を受信するモードとデジタル放送を受信するモードとを切り替えた後に、アナログ放送の受信チャンネルとデジタル放送の受信チャンネルとの切り替えを行なうことができる。しかしながら、アップ選局ボタンあるいはダウン選局ボタンの押下のみによってアナログ放送の受信チャンネルとデジタル放送の受信チャンネルとを昇順に、あるいは降順に切り替えることができなかった。
【０００７】
また、デジタル放送の受信チャンネルにおいて、特定のサブチャンネルにおける放送が休止された場合に、数字ボタンの操作によればそのようなサブチャンネルを選局する指令が出される場合もあった。
【０００８】
本発明は、上述の問題点を解決するためになされたものであって、その目的は、アナログ放送を受信するモードとデジタル放送を受信するモードとを切り替えることなく、アナログ放送およびデジタル放送のいずれのチャンネルも選局することができる放送受信装置を提供することである。
【０００９】
本発明の他の目的は、少なくとも１つのボタンに対する操作により全てのチャンネルを選局できる放送受信装置を提供することである。
【００１０】
本発明の他の目的は、デジタル放送されるサブチャンネルが変更されても、デジタル放送を受信可能なチャンネルが選局される放送受信装置を提供することである。
【課題を解決するための手段】
【００１１】
上記の課題を解決するために、この発明のある局面に従うと、放送受信装置は、アナログ放送信号とデジタル放送信号とを受信する受信手段と、アナログ放送信号とデジタル放送信号とのいずれかを受信するチャンネルを選局する選局手段と、昇順および降順のいずれかによりチャンネルを選局するための選局指示の入力を受ける入力手段と、受信手段により受信されたデジタル放送信号に基づいて、映像音声信号を出力するデジタル放送受信ユニットと、受信手段により受信されたアナログ放送信号に基づいて、映像音声信号を出力するアナログ放送受信ユニットとを備える。アナログ放送受信ユニットは、アナログ放送信号を受信可能なアナログチャンネルに対応する第１のデータと、デジタル放送信号を受信可能なデジタルチャンネルの物理チャンネルに対応する第２のデータと、信号を受信中のチャンネルに対応する第３のデータとを格納する記憶手段と、第３のデータを第１のデータおよび第２のデータと比較することにより、選局指示に基づいて選局されるチャンネルの種類を判断する判断手段と、判断手段が、選局指示に基づいて選局されるチャンネルはアナログチャンネルであると判断した場合に、第１のデータと第３のデータとに基づいて、選局指示に応じて選局されるアナログチャンネルを決定する第１の決定手段と、第１の決定手段により決定されたアナログチャンネルに基づいて、選局手段にアナログ放送信号を受信させるアナログ選局制御手段と、判断手段が、選局指示に基づいて選局されるチャンネルはデジタルチャンネルであると判断した場合に、デジタル放送受信ユニットに対して、選局指示に基づいて選局されるチャンネルを決定するための指令を送出する送出手段とを含む。デジタル放送受信ユニットは、デジタル放送信号を受信可能なデジタルチャンネルに対応するチャンネルデータを格納するデジタルチャンネル記憶手段と、指令とチャンネルデータとに基づいて、選局指示に応じて選局されるデジタルチャンネルを決定する第２の決定手段と、第２の決定手段により決定されたデジタルチャンネルに基づいて、選局手段にデジタル放送信号を受信させるデジタル選局制御手段と、デジタル放送信号に基づいてデジタルチャンネルの変更を検知する検知手段と、変更の検知に基づいて、デジタルチャンネルに含まれる物理チャンネルの更新情報を生成する更新情報生成手段と、更新情報をデジタルチャンネル記憶手段に格納する更新手段と、アナログ放送受信ユニットに、更新情報を送出する送出手段とを含む。アナログ放送受信ユニットはさらに、更新情報に基づいて第２のデータをアナログチャンネル記憶手段に格納する更新手段を含む。
【００１２】
この発明の他の局面に従うと、放送受信装置は、アナログ放送信号とデジタル放送信号とを受信する受信手段と、アナログ放送信号とデジタル放送信号とのいずれかを受信するチャンネルを選局する選局手段と、昇順および降順のいずれかによりチャンネルを選局するための選局指示の入力を受ける入力手段と、受信手段により受信されたデジタル放送信号に基づく信号を出力するデジタル放送信号処理手段と、受信手段により受信されたアナログ放送信号に基づく信号を出力するアナログ放送信号処理手段とを備える。アナログ放送信号処理手段は、アナログ放送信号を受信可能なアナログチャンネルと、デジタル放送信号を受信可能なデジタルチャンネルと、信号を受信中のチャンネルとに基づいて、選局指示に応じて選局されるアナログチャンネルを決定する第１の決定手段と、第１の決定手段により決定されたアナログチャンネルに基づいて、選局手段にアナログ放送信号を受信させるアナログ選局制御手段と、判断手段が、選局指示に基づいて選局されるチャンネルはデジタルチャンネルであると判断した場合に、デジタル放送信号処理手段に対して、選局指示に基づいて選局されるチャンネルを決定するための指令を送出する送出手段とを含む。デジタル放送信号処理手段は、指令と、デジタル放送信号を受信可能なデジタルチャンネルとに基づいて、選局指示に応じて選局されるデジタルチャンネルを決定する第２の決定手段と、第２の決定手段により決定されたデジタルチャンネルに基づいて、選局手段にデジタル放送信号を受信させるデジタル選局制御手段とを含む。
【００１３】
好ましくは、デジタル放送信号処理手段は、デジタル放送信号に基づいて、映像音声信号を出力するデジタル放送受信ユニットを含む。
【００１４】
好ましくは、アナログ放送信号処理手段は、アナログ放送信号に基づいて、映像音声信号を出力するアナログ放送受信ユニットを含む。
【００１５】
好ましくは、第１の決定手段は、アナログチャンネルに対応する第１のデータと、デジタルチャンネルの物理チャンネルに対応する第２のデータと、信号を受信中のチャンネルに対応する第３のデータとを格納する記憶手段と、第１のデータと第２のデータと第３のデータとに基づいて、選局指示に応じて選局されるチャンネルの種類を判断する判断手段と、判断手段が、選局指示に基づいて選局されるチャンネルはアナログチャンネルであると判断した場合に、第１のデータと第３のデータとに基づいて、選局指示に応じて選局されるアナログチャンネルを決定するアナログチャンネル決定手段とを含む。
【００１６】
好ましくは、判断手段は、第３のデータを第１のデータおよび第２のデータと比較することにより、選局指示に基づいて選局されるチャンネルの種類を判断する。
【００１７】
好ましくは、第２の決定手段は、デジタル放送信号を受信可能なデジタルチャンネルに対応するチャンネルデータを格納するデジタルチャンネル記憶手段と、指令とチャンネルデータとに基づいて、選局指示に応じて選局されるデジタルチャンネルを決定するデジタルチャンネル決定手段とを含む。
【００１８】
好ましくは、デジタル放送信号処理手段は、デジタル放送信号に基づいてデジタルチャンネルの変更を検知する検知手段と、変更の検知に基づいて、デジタルチャンネルの更新情報を生成する生成手段と、更新情報をデジタルチャンネル記憶手段に格納するデジタル更新手段と、アナログ放送信号処理手段に、更新情報を送出する送出手段とをさらに含む。アナログ放送信号処理手段は、更新情報に基づいてアナログチャンネル記憶手段に格納されている情報を更新するアナログ更新手段をさらに含む。
【００１９】
好ましくは、デジタルチャンネルは物理チャンネルを含む。生成手段は、物理チャンネルの更新情報を生成する。アナログ更新手段は、物理チャンネルの更新情報に基づいて、第２のデータを更新する。
【発明の効果】
【００２０】
本発明に係る放送受信装置によると、昇順および降順のいずれかによりチャンネルを選局するための選局指示の入力に基づいて、アナログ放送およびデジタル放送のチャンネルが順次選局される。したがって、放送受信装置のユーザがアナログ放送の受信とデジタル放送の受信とを切り換えるための操作を行なう必要がなくなるため、チャンネルの切り換えを簡易に実現することができる。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
図１を参照して、本発明に係る放送受信装置の一態様であるテレビ１００について説明する。図１は、テレビ１００のハードウェア構成を表わすブロック図である。
【００２３】
テレビ１００は、アンテナ１０２と、チューナ１０４と、外部入力部１０６と、リモコン信号受信部１０８と、操作パネル１１６と、アナログ放送受信ブロック１１０と、デジタル放送受信ブロック１２０と、Ｄ／Ａ変換回路１３０と、表示ユニット１５０と、電源制御回路１６２と、電源ユニット１６０とを含む。アナログ放送受信ブロック１１０は、映像信号処理回路１１２と、クロック１１４と、フラッシュメモリ２００と、ＣＰＵ（Central Processing Unit）３００とを含む。デジタル放送受信ブロック１２０は、映像信号処理回路１２２と、クロック１２４と、フラッシュメモリ４００と、ＲＡＭ（Random Access Memory）５００と、ＣＰＵ６００とを含む。表示ユニット１５０は、ＯＳＤ（On Screen Display）画像生成回路１５２と、表示領域１５４とを含む。
【００２４】
アンテナ１０２は、電波を受信して、受信後の信号をチューナ１０４に送出する。チューナ１０４は、入力される選局指令に基づいて指示されたチャンネルを選択してそのチャンネルの信号をアナログ放送受信ブロック１１０あるいはデジタル放送受信ブロック１２０に伝送する。
【００２５】
外部入力部１０６は、外部から信号の入力を受けてその信号をアナログ放送受信ブロック１１０またはデジタル放送受信ブロック１２０に対して送出する。外部入力部１０６は、たとえばケーブル放送を受信するためのインターフェイスを含む。リモコン信号受信部１０８は、リモコン端末１９４から発信された赤外線信号を受けて、その信号に応じた指令をアナログ放送受信ブロック１１０あるいはデジタル放送受信ブロック１２０に送出する。操作パネル１１６は、テレビ１００のユーザによるタッチ操作を受けるためのボタン（図示しない）を含み、その操作に応じた信号をアナログ放送受信ブロック１１０に対して送出する。
【００２６】
アナログ放送受信ブロック１１０において、映像信号処理回路１１２にはチューナ１０４からの信号と外部入力部１０６からの信号とが入力される。映像信号処理回路１１２は、入力される信号に対して予め定められた映像処理を実行して処理後の信号を表示ユニット１５０に対して送出する。
【００２７】
ＣＰＵ３００には、リモコン信号受信部１０８からの信号と操作パネル１１６からの信号とが入力される。ＣＰＵ３００は、映像信号処理回路１１２の動作をクロック１１４からの時刻信号とフラッシュメモリ２００に格納されているデータとアナログ放送受信ブロック１１０に入力される信号とに基づいて、アナログ放送受信ブロック１１０の処理を制御する。ＣＰＵ３００は、チャンネルを選択するための指示の入力に応答して、チューナ１０４に対して当該ユーザにより指示されたチャンネルを選択するように制御信号を出力する。さらに、ＣＰＵ３００は、後述するようにデジタル放送受信ブロック１２０に含まれるＣＰＵ６００と制御信号のやり取りを行なう。ＣＰＵ３００は、また予め定められた条件が成立した場合に電源制御回路１６２に対して信号を送出することにより、デジタル放送受信ブロック１２０その他のテレビ１００を構成するデバイスに対する電力の供給を制御する。
【００２８】
デジタル放送受信ブロック１２０において、チューナ１０４からの信号は、映像信号処理回路１２２に入力される。ＣＰＵ６００は、映像信号処理回路１２２と、クロック１２４と、フラッシュメモリ４００と、ＲＡＭ５００とに接続されている。ＣＰＵ６００は、ＣＰＵ３００からの指令に基づいてあるいはフラッシュメモリ４００、ＲＡＭ５００などに格納されているデータに基づいて予め定められた処理を実行することにより、デジタル放送を受信するための選局処理を実行する。この場合ＣＰＵ６００は、チューナ１０４に対して所定のチャンネルを選択するための指令を送出する。この処理については後述する。
【００２９】
映像信号処理回路１２２から出力される信号は、Ｄ／Ａ変換回路１３０に入力される。Ｄ／Ａ変換回路１３０は、その信号に対して予め定められた変換処理を実行することにより、アナログ信号を生成し、表示ユニット１５０に対して、生成された信号を送出する。なお、本実施の形態においてはテレビ１００は、アナログ信号に基づいて映像を表示する場合について説明しているが、テレビ１００の態様はこれに限られない。たとえば表示される映像信号をデジタル信号として処理するものであってもよい。この場合、Ｄ／Ａ変換回路１３０は不要になる。アナログ信号が生成される場合には、アナログ信号をデジタル信号に変換するための構成が含まれていればよい。
【００３０】
表示ユニット１５０において、ＯＳＤ画像生成回路１５２は、ＣＰＵ３００から出力される信号とＣＰＵ６００から出力される信号とに基づいて、表示領域１５４に表示させるための情報を生成する。この情報は、たとえば受信されているチャンネルを表示するための番号、あるいはテレビ１００の動作の状態を表わすための情報（たとえば「オートスキャン実行中」と表示される画像）などである。ＯＳＤ画像生成回路１５２から出力される信号は、アナログ放送受信ブロック１１０あるいはデジタル放送受信ブロック１２０からの映像信号と合成される。この映像信号は、Ｄ／Ａ変換回路１３０により変換されたものである。合成語の信号は、表示領域１５４に送出される。表示領域１５４は、チューナ１０４により受信された放送の番組と、ＯＳＤ画像生成回路１５２において生成された文字情報とをそれぞれ表示する。
【００３１】
図２を参照して、本実施の形態に係るテレビ１００のデータ構造について説明する。図２は、アナログ放送受信ブロック１１０が備えるフラッシュメモリ２００におけるデータの格納の一態様を概念的に表わす図である。
【００３２】
フラッシュメモリ２００は、領域２１０〜２５０を含む。領域２１０には、物理チャンネルを表わす情報が格納されている。ここで、物理チャンネルとは、周波数ごとに割り当てられたチャンネルである。領域２２０には、領域２１０に格納されている物理チャンネルがユーザにより選択されていることを表わすためのＡＤＤフラグが格納されている。たとえばＡＤＤフラグが「０」である場合には、そのチャンネルは選択されていないことを表わす。またＡＤＤフラグが「１」である場合には、そのチャンネルはユーザにより選択されている。たとえば物理チャンネル９、１０、１２、１４および２０は、ユーザにより選択されている。一方物理チャンネル１、２、１１、１３、および１９は、ユーザにより選択されていない。
【００３３】
領域２３０には、物理チャンネルがデジタル放送を受信するためのチャンネルである場合におけるそのチャンネルが格納されている。領域２４０には、その物理チャンネルに含まれる仮想チャンネルを表わすための情報が格納されている。たとえば物理チャンネル「９」は、デジタル放送を受信するためのチャンネルであり、仮想チャンネルとして３０が設定されている。領域２５０には、後述するチャンネルを選択するための選局プログラムが格納されている。このプログラムの制御構造についてはフローチャートを参照して説明する。
【００３４】
図３を参照して、テレビ１００が備えるアナログ放送受信ブロック１１０の機能について説明する。図３は、ＣＰＵ３００が後述するプログラムを実行する場合に実現する機能を表わすブロック図である。ＣＰＵ３００は、入出力部３１０と、スキャン指令検出部３２０と、選局指令検出部３３０と、チャンネル決定部３４０と、チャンネル番号読出部３５０と、選局指令部３６０と、チャンネルマップ更新部３７０とを含む。
【００３５】
入出力部３１０は、ＣＰＵ３００の外部のデバイスとの間で信号のやり取りを行なう。入出力部３１０は、またＣＰＵ３００の内部の間でデータのやり取りを行なう。スキャン指令検出部３２０は、入出力部３１０を介して入力されたスキャンの指令信号に基づいてテレビ１００が受信可能なチャンネルを検索するスキャン指令を検出する。選局指令検出部３３０は、リモコン信号受信部１１２あるいは操作パネル１１６からの信号に基づいて、ユーザにより指示された選局の指令を検出する。チャンネル決定部３４０は、リモコン信号受信部１１２あるいは操作パネル１１６からの信号に基づいて、チューナ１０４に選局させるチャンネルを決定する。たとえばリモコン信号受信部１１２あるいは操作パネル１１６からチャンネルのアップ指令あるいはダウン指令が出力された場合には、チャンネル決定部３４０は、現在既に選局されているチャンネルに対して１つアップしたチャンネルあるいはダウンしたチャンネルを決定する。
【００３６】
チャンネル番号読出部３５０は、フラッシュメモリ２００に格納されているデータから選局するために必要なチャンネルの情報を読み出す。選局指令部３６０は、リモコン信号受信部１１２あるいは操作パネル１１６からの選局指令に基づいて指定されたチャンネルを選局する指令を出力する。決定されたチャンネルがアナログ放送を受信するためのチャンネルである場合には、選局指令部３６０は、チューナ１０４に対してそのチャンネルを選択させる。一方、決定されたチャンネルがデジタル放送を受信するためのチャンネルである場合には、選局指令部３６０は、デジタル放送受信ブロック１２０に対してその決定されたチャンネルを選択するように指示する。
【００３７】
チャンネルマップ更新部３７０は、外部から入力される更新されたチャンネル情報に基づいて、フラッシュメモリ２００に格納されているチャンネル情報を更新する。たとえばデジタル放送受信ブロック１２０においてデジタル放送の受信チャンネルの更新が検出された場合には、その情報はチャンネルマップ更新部３７０によりフラッシュメモリ２００に格納される。
【００３８】
次に、図４および図５を参照して、テレビ１００が備えるデジタル放送受信ブロック１２０のデータ構造について説明する。図４は、フラッシュメモリ４００におけるデータの格納の一態様を概念的に表わす図である。図５は、ＲＡＭ５００におけるデータの格納の一態様を概念的に表わす図である。
【００３９】
図４に示されるように、フラッシュメモリ４００は、領域４１０〜４６０を含む。ＡＤＤフラグは、領域４１０に格納されている。物理チャンネルを表わす情報は、領域４２０に格納されている。この場合、ＡＤＤフラグが「０」である場合には、そのフラグに対応する物理チャンネルは、ユーザにより選択されていないことを表わす。一方、ＡＤＤフラグが「１」である場合には、そのフラグに対応する物理チャンネルは、ユーザにより選択されていることを表わす。領域４３０には、仮想チャンネルを表わす情報が格納されている。ここで、仮想チャンネルとは、デジタル放送内にて指定される自身のチャンネル番号である。ＡＴＳＣ（Advanced  Television  Systems  Committee）規格によって、デジタル放送を受信するテレビは、その放送から仮想チャンネルを読み取り、ユーザが選局に利用できるように規定されている。領域４４０〜４６０には、物理チャンネルに含まれる各サブチャンネルが格納されている。すなわち、いずれかのサブチャンネルが選択されている場合には、そのサブチャンネルが選択されていることを表わすデータ（たとえばフラグ「１」）がその領域に格納されている。一方、いずれかのサブチャンネルが選択されていない場合には、そのチャンネルが選択されていないことを表わすフラグ（たとえば「０」）が対応する領域に格納されている。
【００４０】
図４に示される例では、たとえば物理チャンネル「１０」は、第１のサブチャンネルが選択されており、その他のチャンネルは選択されていない。一方、たとえば物理チャンネル「１１」に関して、いずれのサブチャンネルも選択されていない。また後述するようにデジタル放送を受信するためのチャンネルは、必要に応じて変更されることがあり、変更される場合には、たとえば領域４４０から４６０に格納されるサブチャンネルの構成が変わることになる。
【００４１】
図５を参照して、ＲＡＭ５００は、領域５１０〜５３０を含む。図５に示されるデータは、デジタル放送受信ブロック１２０からアナログ放送受信ブロック１１０に送られるデータである。すなわち領域５１０には、物理チャンネルが選択されているか否かを表わすＡＤＤフラグが格納されている。領域５２０には、デジタル放送受信ブロック１２０によるスキャン操作により検出された物理チャンネルが格納されている。領域５３０には、各物理チャンネルに対応付けられる仮想チャンネルが格納されている。また、図５から明らかなように各物理チャンネルに含まれ得るサブチャンネルは、ＲＡＭ５００には格納されていない。すなわち、アナログ放送受信ブロック１１０に転送されるデータは、フラッシュメモリ４００に格納されているデータに比べてデータ量が少ないものとなる。
【００４２】
図６を参照して、デジタル放送受信ブロック１２０の機能について説明する。図６は、ＣＰＵ６００が後述するプログラムを実行する場合に実現する機能を表わすブロック図である。ＣＰＵ６００は、入出力部６１０と、決定部６２０と、同調制御部６３０と、オールスキャン指令６３０と、チャンネル情報取得部６５０と、更新チャンネル検出部６６０と、チャンネル情報送信部６７０とを含む。
【００４３】
入出力部６１０は、ＣＰＵ６００の内部と外部とのデータの通信を行なう。この通信には、たとえば、ＣＰＵ３００との指令の通信が含まれる。決定部６２０は、ＣＰＵ３００からの選局指令に基づいて、デジタル放送を受信するためのチャンネルを決定する。同調制御部６３０は、決定されたチャンネルに基づいてデジタル放送を受信するように、チューナ１０４に選局動作を実行させる。オールスキャン指令部６４０は、チューナ１０４が受信可能なチャンネルの全てを検索するように、チューナ１０４に対して、予め定められた範囲内における選局処理を実行させる。この処理が実行されると、テレビ１００のアンテナ１０２が受信可能なデジタル放送のチャンネルが検出される。
【００４４】
チャンネル情報取得部６５０は、チューナ１０４により受信されたデジタル放送の信号から、チャンネル情報を取得する。この情報は、たとえば物理チャンネルに含まれる仮想チャンネルを表わす情報、仮想チャンネルのバージョンを表わす情報等が含まれる。更新チャンネル検出部６６０は、取得されたチャンネル情報に基づいて、デジタル放送のチャンネルの更新を検出する。たとえばチャンネル情報に含まれるバージョンの情報の変更を検知して、チャンネルの更新を検出する。あるいは、更新チャンネル検出部６６０は、仮想チャンネルを表わすデータの差異を検知することにより、チャンネルの更新を検出する。チャンネル情報送信部６７０は、更新されたチャンネル情報を生成し、生成した情報をアナログ放送受信ブロック１１０に対して送信する。ＣＰＵ６００による処理の順序は、以下のフローチャートを参照して説明する。
【００４５】
図７〜図１０を参照して、本実施の形態に係るテレビ１００の制御構造について説明する。図７は、チャンネル情報を更新するためにテレビ１００が実行する処理の手順を表わすフローチャートである。この処理は、たとえばテレビ１００がいわゆるオートスキャン処理を実行する場合に実行される。
【００４６】
ステップＳ７１０にて、アナログ放送受信ブロック１１０のＣＰＵ３００は、リモコン信号受信部１１２からの信号に基づいて、デジタル放送を受信するチャンネルを検索（オートスキャン）する指令の入力を検知する。ステップＳ７２０にて、ＣＰＵ３００は、デジタル放送受信ブロック１２０に対してオートスキャンを実行する指令を送信する。
【００４７】
ステップＳ７３０にて、デジタル放送受信ブロック１２０のＣＰＵ６００は、ＣＰＵ３００からの指令に基づいてオートスキャンの処理を実行する。ステップＳ７４０にて、ＣＰＵ６００は、オートスキャンの結果をフラッシュメモリ４００の所定の領域に格納する。ステップＳ７５０にて、ＣＰＵ６００は、フラッシュメモリ５００に格納されているデータに基づいてアナログ放送受信ブロック１１０に送信するためのデータを生成する（図５）。ステップＳ７６０にて、ＣＰＵ６００は、アナログ放送受信ブロック１１０に対して生成したデータを送信する。
【００４８】
ステップＳ７７０にて、ＣＰＵ３００は、受信したデータに含まれるデジタルチャンネルの情報をフラッシュメモリ２００の所定の領域（図２における領域２３０および２４０）に格納する。これにより、テレビ１００のチャンネル情報、より特定的にデジタル放送を受信するためのチャンネル情報は、オートスキャンの結果に応じて更新される。
【００４９】
図８は、他の局面におけるチャンネル情報を更新する処理の手順を表わすフローチャートである。ここで他の局面とは、たとえばデジタルチャンネルが既に選局されている場合をいう。
【００５０】
ステップＳ８０２にて、ＣＰＵ３００は、リモコン信号受信部１１２からの信号に基づいて選局のための指令の入力を検知する。ステップＳ８０４にて、ＣＰＵ３００は、フラッシュメモリ２００に格納されているデータに基づいて選局される放送の種類（アナログ／デジタル）を決定する。ステップＳ８０６にて、ＣＰＵ３００は、選局の対象がデジタル放送の受信チャンネルであるか否かを判断する。ＣＰＵ３００が、その対象はデジタル放送を受信するチャンネルであると判断すると（ステップＳ８０６にてＹＥＳ）、処理はステップＳ８１０に移される。そうでない場合には（ステップＳ８０６にてＮＯ）、処理はステップＳ８３０に移される。ステップＳ８１０にて、ＣＰＵ３００は、デジタル放送受信ブロック１２０に対してデジタルチャンネルの選局の指令を送信する。
【００５１】
ステップＳ８１２にて、ＣＰＵ６００は、ＣＰＵ３００からの信号とフラッシュメモリ４００に格納されているデータとに基づいて、デジタル放送を受信するチャンネルを決定する。ステップＳ８１４にて、ＣＰＵ６００は、チューナ１０４に対して特定されたチャンネルを選局する指令を出力する。ステップＳ８１６にて、ＣＰＵ６００は、フラッシュメモリ５００に格納されているデータに基づいて、アナログ放送受信ブロックに送信するためのデータを生成する。この場合、生成されるデータは、デジタル放送受信ブロック１２０において取得された全ての情報でなくてもよい。たとえば、物理チャンネルとその物理チャンネルに含まれる仮想チャンネルとを識別するための情報がその生成されるデータに含まれていればよい。ステップＳ８１８にて、ＣＰＵ６００は、アナログ放送受信ブロック１１０に対して生成したデータを送信する。
【００５２】
ステップＳ８２０にて、ＣＰＵ３００は、ＣＰＵ６００から受信したデータに含まれるデジタルチャンネルの情報をフラッシュメモリ２００の所定の領域に格納する。これにより、デジタル放送受信ブロック１２０において検出されたデジタル放送を受信するチャンネルの情報は、アナログ放送受信ブロック１１０において更新される。
【００５３】
ステップＳ８３０にて、ＣＰＵ３００は、選局するアナログ放送のチャンネルを決定する。ステップＳ８３２にて、ＣＰＵ３００は、チューナ１０４に対して決定されたチャンネルを選局する指令を出力する。
【００５４】
図９は、テレビ１００におけるチャンネル情報の更新処理の手順を表わすフローチャートである。この処理は、上記の局面以外にたとえばデジタル放送が受信されている場合に実行される。
【００５５】
ステップＳ９１０にて、ＣＰＵ６００は、アンテナ１０２により受信された電波からチャンネル情報を取得する。ステップＳ９２０にて、ＣＰＵ６００は、デジタル放送のチャンネル情報が更新されているか否かを判断する。この判断は、たとえばチャンネル情報のバージョンを表わす情報と既に取得している情報とを比較することにより行なわれる。ＣＰＵ６００が、そのチャンネル情報は更新されていると判断すると（ステップＳ９２０にてＹＥＳ）、処理はステップＳ９３０に移される。そうでない場合には（ステップＳ９２０にてＮＯ）、処理は終了する。ステップＳ９３０にて、ＣＰＵ６００は、更新後のチャンネル情報に基づいてアナログ放送受信ブロック１１０に送信するためのデータを生成する（図５）。ステップＳ９４０にて、ＣＰＵ６００は、アナログ放送受信ブロック１１０に対して生成したデータを送信する。
【００５６】
ステップＳ９５０にて、ＣＰＵ３００は、ＣＰＵ６００から受信したデータに含まれるデジタルチャンネル情報をフラッシュメモリ２００の所定の領域に格納する（図２における領域２３０および２４０）。
【００５７】
図１０を参照して、本実施の形態に係るテレビ１００の制御構造についてさらに説明する。図１０は、チャンネルを降順にあるいは昇順に選局するための指令に基づいて実行される選局処理の手順を表わすフローチャートである。このような指令は、たとえば、いわゆるチャンネルアップ選局ボタンあるいはチャンネルダウン選局ボタンの押下に応答して出力される。この処理は、したがってユーザがリモコン端末１９４に含まれるチャンネルアップダウンボタン（図示しない）あるいは操作パネル１１６に含まれるそのようなボタンを押下した場合に実行される。
【００５８】
ステップＳ１００２にて、ＣＰＵ３００は、リモコン信号受信部１１２からの信号に基づいて選局の指令を検知する。ステップＳ１００４にて、ＣＰＵ３００は、その指令がチャンネルアップの指令であるか否かを判断する。ＣＰＵ３００が、その指令はチャンネルアップの指令である判断すると（ステップＳ１００４にてＹＥＳ）、処理はステップＳ１０１０に移される。そうでない場合には（ステップＳ１００４にてＮＯ）、処理はステップＳ１０４０に移される。
【００５９】
ステップＳ１０１０にて、ＣＰＵ３００は、フラッシュメモリ２００の所定の領域から現在選局されているチャンネルの情報を取得する。ステップＳ１０１２にて、ＣＰＵ３００は、フラッシュメモリ２００に格納されているデータと現在のチャンネル情報とに基づいて、次に選局されるチャンネルを決定する。ステップＳ１０１４にて、ＣＰＵ３００は、決定されたチャンネルがデジタル放送のチャンネルであるか否かを判断する。ＣＰＵ３００が、そのチャンネルはデジタル放送のチャンネルであると判断すると（ステップＳ１０１４にてＹＥＳ）、処理はステップＳ１０２０に移される。そうでない場合には（ステップＳ１０１４にてＮＯ）、処理はステップＳ１０３０に移される。ステップＳ１０２０にて、ＣＰＵ３００は、デジタル放送受信ブロック１２０に対してデジタル放送のチャンネルを選局する指令を送信する。
【００６０】
ステップＳ１０２２にて、デジタル放送受信ブロック１２０のＣＰＵ６００は、ＣＰＵ３００からの指令とフラッシュメモリ４００に格納されているデータとに基づいて、デジタル放送を受信するためのチャンネルを決定する。ステップＳ１０２４にて、ＣＰＵ６００は、チューナ１０４に対してそのチャンネルを選局する指令を出力する。
【００６１】
ステップＳ１０３０にて、ＣＰＵ３００は、選局するアナログ放送のチャンネルを決定する。ステップＳ１０３２にて、ＣＰＵ３００は、チューナ１０４に対してアナログ放送のチャンネルを選局する指令を出力する。
【００６２】
ステップＳ１０４０にて、チューナ１０４は、ＣＰＵ３００あるいはＣＰＵ６００からの指令に応じたチャンネルを選局する。これにより、テレビ１００は、チャンネル番号の昇順あるいは降順に従って、放送を受信するチャンネルを切り換える。
【００６３】
図１１および図１２を参照して、テレビにおける画面の表示態様について説明する。図１１は、従来のテレビ画面を表わす図である。図１２は、本実施の形態に係るテレビ１００の画面を表わす図である。
【００６４】
従来のテレビであってアナログ放送とデジタル放送とを受信可能なテレビは、アナログおよびデジタルのモードの切換によりそれぞれのチャンネルを受信することができる。たとえばアナログ放送を受信している場合においてデジタル放送を受信するためには、モードの切換ボタンを押下した上でチャンネルを選局する操作が必要になる。したがって、アナログチャンネルが表示されている場合においてアップ選局ボタンがユーザにより押下されると、そのままアナログ放送の受信チャンネルに切り換えられる。
【００６５】
たとえば、図１１において、画面（Ａ）に示されるように９チャンネルが選局されている場合に、モードの切換ボタンを押下することなくアップ選局ボタンが押下されると、テレビの画面は、その次のチャンネルすなわちアナログの１０チャンネルが表示される（画面（Ｂ））。
【００６６】
一方、本実施の形態に係るテレビ１００によると、アナログ放送とデジタル放送とのいずれをも受信可能なテレビであっても、モードの切換ボタンを押下することなくチャンネルを降順にあるいは昇順に切り換えることができる。たとえば、図１２に示されるように、テレビ１００が９チャンネルを表示している場合において（画面（Ａ））、ユーザがチャンネルのアップボタンを押下すると、テレビ１００は、アナログの１０チャンネルに切換わることなくデジタル放送を受信するチャンネル（９−１ｃｈ）に表示を切り換える（画面（Ｂ））。このようなアナログチャンネルとデジタルチャンネルとの切り換えは、テレビ１００がフラッシュメモリ２００においてアナログ放送とデジタル放送とのいずれをも受信するためのチャンネル情報を有しており、選局指令に基づいて所定の選局処理を実行することにより実現される。
【００６７】
これにより、テレビ１００のユーザは、アナログチャンネルのモードとデジタルチャンネルのモードとを切り換えることなく、アップ選局ボタンあるいはダウン選局ボタンのいずれかを押下することにより、予め設定された順序に従ってアナログ放送あるいはデジタル放送を順次受信することができる。
【００６８】
また、モードを切り換えるためのボタンがリモコン端末１９４あるいは操作パネル１１６において不要になるため、ユーザに対する利便性が向上する。また、部品点数およびコストが削減される。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７０】
本発明は、放送信号を受信する受信装置、たとえば、デジタル放送信号とアナログ放送信号とを受信できるテレビジョン受信装置に適用可能である。
【図面の簡単な説明】
【００７１】
【図１】本発明に係る放送受信装置の一態様であるテレビ１００のハードウェア構成を表わすブロック図である。
【図２】テレビ１００のアナログ放送受信ブロック１１０が備えるフラッシュメモリ２００におけるデータの格納の一態様を概念的に表わす図である。
【図３】アナログ放送受信ブロック１１０のＣＰＵ３００が実現する機能を表わすブロック図である。
【図４】テレビ１００が備えるデジタル放送受信ブロック１２０におけるデータの格納の一態様を概念的に表わす図（その１）である。
【図５】テレビ１００が備えるデジタル放送受信ブロック１２０におけるデータの格納の一態様を概念的に表わす図（その２）である。
【図６】デジタル放送受信ブロック１２０のＣＰＵ６００が実現する機能を表わすブロック図である。
【図７】テレビ１００が実行する処理の手順を表わすフローチャート（その１）である。
【図８】テレビ１００が実行する処理の手順を表わすフローチャート（その２）である。
【図９】テレビ１００が実行する処理の手順を表わすフローチャート（その３）である。
【図１０】テレビ１００が実行する処理の手順を表わすフローチャート（その４）である。
【図１１】テレビの表示領域に表示される画面を表わす図（その１）である。
【図１２】テレビの表示領域に表示される画面を表わす図（その２）である。
【符号の説明】
【００７２】
１００  テレビ、１０２  アンテナ、１０４  チューナ、１０６  外部入力部、１０８  リモコン信号受信部、１１０  アナログ信号受信ブロック、１１２，１２２  映像信号処理回路、１１４，１２４  クロック、１１６  操作パネル、１２０  デジタル信号受信ブロック、１３０  Ｄ／Ａ変換回路、１５０  表示ユニット、１５２  ＯＳＤ画像生成回路、１５４  表示領域、１６０  電源ユニット、１６２  電源制御回路、３００，６００  ＣＰＵ、４００  フラッシュメモリ、５００  ＲＡＭ。
【図１】
2006270827.tif 000003
【図２】
2006270827.tif 000004
【図３】
2006270827.tif 000005
【図４】
2006270827.tif 000006
【図５】
2006270827.tif 000007
【図６】
2006270827.tif 000008
【図７】
2006270827.tif 000009
【図８】
2006270827.tif 000010
【図９】
2006270827.tif 000011
【図１０】
2006270827.tif 000012
【図１１】
2006270827.tif 000013
【図１２】
2006270827.tif 000014